(57)【要約】      （修正有）【課題】釣りの最中に、釣った魚を釣り糸から外してタモや籠に収納したり、ルアーまたは餌を交換する際、長尺な釣竿を保持した状態のまま無理な姿勢を強いられることなく、円滑に作業を行うことが可能な釣竿保持具を提供する。【解決手段】背面に斜めに背負うことにより、腰部の脇付近に一端部１２が、反対側の肩部上方に他端部１４が位置することが可能な長さを有するポール１６を有し、該ポール１６の該一端部１２に、該ポール１６に沿う向きの釣竿の一端部１２を支持する釣竿支持部１８を有し、該ポール１６の該他端部１４に、該ポール１６に沿う向きの釣竿の中間部を把持する釣竿把持部２０を有し、前記ポール１６と協働してたすきがけを形成するように、各端がポール１６に取り付けられたバンド部２２を有する。【選択図】図１
0003209173.tif 000002
【実用新案登録請求の範囲】
【請求項１】
背面に斜めに背負うことにより、腰部の脇付近に一端部が、反対側の肩部上方に他端部が位置することが可能な長さを有するポールを有し、
該ポールの該一端部に、該ポールに沿う向きの釣竿の一端部を支持する釣竿支持部を有し、
該ポールの該他端部に、該ポールに沿う向きの釣竿の中間部を把持する釣竿把持部を有し、
前記ポールと協働してたすきがけを形成するように、各端が前記ポールに取り付けられたバンド部を有する、
ことを特徴とする釣竿保持具。
【請求項２】
前記釣竿支持部は、釣竿の一端部の内径より大きな径を有し、釣竿の一端部の受け部を有する中空構造であり、
該中空構造は、軸線が前記ポールの軸線に沿って延びるように、前記ポールの外表面に付設される、請求項１に記載の釣竿保持具。
【請求項３】
前記中空構造は、底付円筒であり、該底付円筒の高さは、前記ポールに沿う向きの釣竿の一端部を該底付円筒の底で受けるように差し込むことにより、釣竿を支持可能な高さである、請求項２に記載の釣竿保持具。
【請求項４】
前記釣竿把持部は、先端に一対の挟み部と、後端に挟み部を開閉する一対の摘み部を有し、該挟み部と該摘み部との中間点に支点を備え、該挟み部を常時閉じ方向に付勢する付勢部を有し、前記釣竿把持部は、前記ポールに対して、前記中空構造に差し込んだ釣竿の中間部を挟み込み可能なように設けられる、請求項２に記載の釣竿保持具。
【請求項５】
前記一対の挟み部の各々の先端部には、外方に湾曲する案内部が設けられ、それぞれの案内部により、前記一対の挟み部を閉じることにより形成される前記一対の挟み部の先端部同士の接触部から互いに離間するスペースが形成され、釣竿を該スペースに宛がって前記接触部に向かって押すことにより、前記付勢部による付勢力に打ち勝って前記一対の挟み部が開くように構成される、請求項４に記載の釣竿保持具。
【請求項６】
前記ポールは、互いに嵌合する内管と外管との2重管構造であり、長さ調整可能である、請求項１に記載の釣竿保持具。
【請求項７】
前記中空構造の外表面に板状小片部がさらに固定され、前記板状小片部の裏面と前記中空構造の外表面との間に、釣り糸が巻き付け可能である、請求項１ないし請求項６いずれか１項に記載の釣竿保持具。
【請求項８】
前記ポールの前記一端部近傍には、前記ポールを釣師の体に係止するフック部がさらに設けられる、請求項１ないし請求項６いずれか１項に記載の釣竿保持具。
【考案の詳細な説明】
【技術分野】
【０００１】
本考案は、釣竿保持具に関し、より詳細には、釣りの最中に、釣った魚を釣り糸から外して籠に収納したり、ルアーまたは餌を交換する際、長尺な釣竿を保持した状態のまま無理な姿勢を強いられることなく、円滑に作業を行うことが可能な釣竿保持具に関する。
【背景技術】
【０００２】
長尺な釣竿を用いての魚釣りが、川、湖、海において盛んに行われているが、たとえば、鮎釣りのような渓流における川釣りにおいては、以下のような点で、円滑な釣りに支障をきたしていた。
具体的には、魚を釣った際、釣った魚を釣り糸の先端に取り付けた釣り針から取り外して、タモや籠に収納し、新たな餌を釣り針に取り付ける必要があり、これらの作業は、両手で行う必要があるところ、釣竿を手で保持した状態でこれらの作業を行うのは困難である。特に、たとえば、鮎釣りのような渓流における川釣りにおいては、岸で魚を釣るのでなく、川の浅瀬にいながらこれらの作業を行う必要があり、釣り糸をからまめさせることなく釣竿を自分の近くに配置することもままならない。
このような場合、釣り人は、腰を屈めた状態で、釣竿の一端を一方の膝で受けながら、釣竿を脇に挟み込むことにより、両手をフリーにして、上述のような作業を行っている。
これは、釣りの最中に、釣った魚を釣り糸から外して籠に収納したり、ルアーまたは餌を交換する際、長尺な釣竿を保持した状態のまま無理な姿勢を強いられることになり、円滑に作業を行うことが困難である。特に、高齢や、腰痛持ちの釣師にとっては、辛い作業となる。
【０００３】
この点、特許文献１には、釣り竿を収納する道具が開示されている。
より詳細には、釣具店において釣竿を購入する際に、釣竿収納容器に収納された釣竿が、どのような魚種を対象としているかを瞬時に判別できる釣竿展示用収納容器として、透明性を有する素材からなる外箱体に台紙を挿入してなる釣竿展示用収納容器において、外箱体又は台紙のいずれか一方に釣竿の対象魚の特色を表す観念模様を付与している。
【０００４】
また、特許文献２には、釣竿を支持する道具が開示されている。
より詳細には、支持台に揺動部材を設け、釣竿に係止軸を固定し、揺動部材に、係止軸が上部から抜き差し自在に嵌る大きさの遊嵌孔と、この遊嵌孔の前縁に、係止軸の小径軸が納まるよう連成した係止凹部を設けたので、釣竿に固定した係止軸を遊嵌孔に挿入して釣竿を前方に移動させるだけで小径軸が係止凹部に嵌まり込み、揺動部材に対して釣竿は上下方向及び前方へ移動できないように結合され、釣竿の固定配置状態が得られると共に、釣竿を取外す場合は、釣竿を後方に引いて係止軸を係止凹部内に位置させた状態で持ち上げるようにすればよく、特に、釣竿の取外しが握った釣竿を後方に引いて持ち上げる動作だけでよく、釣竿の取外しに他の部材を操作するような余分な手数と時間をかけることなく速やかに行え、食い付いた魚の釣り上げ時に気が焦ってタイミングを逸するような事態の発生をなくすことができる。
【０００５】
いずれの特許文献も、釣竿を収納あるいは支持する点で共通であるが、特許文献１は、釣りの最中でなく、釣竿を購入する際に、釣竿を収納する収納具を開示するに過ぎず、特許文献２は、特許文献１と異なり、釣りの最中に釣竿を支持する装置を開示するが、釣り人が釣竿を背負うのでなく、舟釣りのような場合に、舟べり等に対して釣竿を着脱自在に固定する装置を開示するに過ぎない。
以上のように、釣りの最中に、釣り人が釣った魚を釣り糸から外して籠やタモに収納したり、ルアーまたは餌を交換する際、長尺な釣竿を保持した状態のまま無理な姿勢を強いられることなく、円滑に作業を行うことが可能な釣竿保持具が要望されていたにも係わらず、このような釣竿保持具は、実現されていない。
【特許文献１】特開2000-281074
【特許文献２】特許第５５３４５７７号
【考案の開示】
【考案が解決しようとする課題】
【０００６】
以上の技術的問題点に鑑み、本考案の目的は、釣りの最中に、釣った魚を釣り糸から外して籠やタモに収納したり、ルアーまたは餌を交換する際、長尺な釣竿を保持した状態のまま無理な姿勢を強いられることなく、円滑に作業を行うことが可能な釣竿保持具を提供することにある。
【課題を解決するための手段】
【０００７】
上記課題を達成するために、本考案の釣竿保持具は、
背面に斜めに背負うことにより、腰部の脇付近に一端部が、反対側の肩部上方に他端部が位置することが可能な長さを有するポールを有し、
該ポールの該一端部に、該ポールに沿う向きの釣竿の一端部を支持する釣竿支持部を有し、
該ポールの該他端部に、該ポールに沿う向きの釣竿の中間部を把持する釣竿把持部を有し、
前記ポールと協働してたすきがけを形成するように、各端が前記ポールに取り付けられたバンド部を有する、
構成としている。
【０００８】
以上の構成を有する釣竿保持具によれば、各端がポールに取り付けられたバンド部を利用して、釣竿保持具をたすきがけ状に背面に斜めに背負うことにより、腰部の脇付近には釣竿支持部が、反対側の肩部上方には釣竿把持部が位置することで、釣竿支持部によりポールに沿う向きの釣竿の一端部を支持するとともに、釣竿把持部によりポールに沿う向きの釣竿の中間部を把持することで、１０メートル以上の長尺な釣竿を、両手がフリーな状態で、背面に保持した状態で、釣りの最中に、釣った魚を釣り糸から外して籠に収納したり、ルアーまたは餌を交換する際、長尺な釣竿を保持した状態のまま無理な姿勢を強いられることなく、特に、高齢や、腰痛持ちの釣師にとっても、円滑に作業を行うことが可能である。
【０００９】
また、前記釣竿支持部は、釣竿の一端部の内径より大きな径を有し、釣竿の一端部の受け部を有する中空構造であり、
該中空構造は、軸線が前記ポールの軸線に沿って延びるように、前記ポールの外表面に付設されるのがよい。
さらに、前記中空構造は、底付円筒であり、該底付円筒の高さは、前記ポールに沿う向きの釣竿の一端部を該底付円筒の底で受けるように差し込むことにより、釣竿を支持可能な高さであるのがよい。
【００１０】
さらにまた、前記釣竿把持部は、先端に一対の挟み部と、後端に挟み部を開閉する一対の摘み部を有し、該挟み部と該摘み部との中間点に支点を備え、該挟み部を常時閉じ方向に付勢する付勢部を有し、前記釣竿把持部は、前記ポールに対して、前記中空構造に差し込んだ釣竿の中間部を挟み込み可能なように設けられるのがよい。
また、前記一対の挟み部の各々の先端部には、外方に湾曲する案内部が設けられ、それぞれの案内部により、前記一対の挟み部を閉じることにより形成される前記一対の挟み部の先端部同士の接触部から互いに離間するスペースが形成され、釣竿を該スペースに宛がって前記接触部に向かって押すことにより、前記付勢部による付勢力に打ち勝って前記一対の挟み部が開くように構成されるのがよい。
加えて、前記ポールは、互いに嵌合する内管と外管との2重管構造であり、長さ調整可能であるのがよい。
また、  前記中空構造の外表面に板状小片部がさらに固定され、前記板状小片部の裏面と前記中空構造の外表面との間に、釣り糸が巻き付け可能であるのがよい。
加えて、前記ポールの前記一端部近傍には、前記ポールを釣師の体に係止するフック部がさらに設けられるのがよい。
【考案を実施するための最良の形態】
【００１１】
本考案に係る釣竿保持具の実施形態を図面を参照しながら、以下に詳細に説明する。
図１ないし図５に示すように、釣竿保持具１０は、背面Ｂに斜めに背負うことにより、腰部の脇付近に一端部１２が、反対側の肩部上方に他端部１４が位置することが可能な長さ（たとえば、１．５メートル前後）を有するポール１６を有する。ポール１６は、互いに嵌合する内管４０と外管４２との2重管構造であり、長さ調整可能であり、釣師Ｍの体のサイズに応じて、ポール１６の長さを調整し、釣竿保持具１０を背面Ｂに斜めに背負うようにすればよい。
【００１２】
ポール１６は、金属製あるいは樹脂製が好ましく、軽量化、耐久性および防錆性の観点から、特にアルミニウム製が好ましい。
ポール１６の一端部１２に、ポール１６に沿う向きの釣竿Ｒの一端部１２を支持する釣竿支持部１８を有し、ポール１６の他端部１４に、ポール１６に沿う向きの釣竿Ｒの中間部を把持する釣竿把持部２０を有する。
【００１３】
釣竿支持部１８は、釣竿Ｒの一端部１２の内径２４より大きな径（たとえば、数センチメートル）を有し、釣竿Ｒの一端部１２の受け部２６を有する中空構造２８であり、中空構造２８は、その軸線がポール１６の軸線Ｘに沿って延びるように、ポール１６の外表面３０に、たとえば、ねじ５２により付設される。
中空構造２８は、底付円筒であり、底付円筒の高さＨは、ポール１６に沿う向きの釣竿Ｒの一端部１２を底付円筒の底で受けるように差し込むことにより、釣竿Ｒを支持可能な高さＨである。底付円筒の底には、釣竿Ｒの一端部１２を受ける受け棒５０が設けられている。底付円筒の材質は、ポール１６と同様に、金属製あるいは樹脂製が好ましく、軽量化、耐久性および防錆性の観点から、特にアルミニウム製が好ましい。
【００１４】
釣竿把持部２０は、ポール１６に対して、中空構造２８に差し込んだ釣竿Ｒの中間部を挟み込み可能なように設けられ、先端に一対の挟み部３２と、後端に挟み部３２を開閉する一対の摘み部３４を有し、挟み部３２と摘み部３４との中間点に支点３６を備える。釣竿把持部２０の材質は、ポール１６と同様に、金属製あるいは樹脂製が好ましく、軽量化、耐久性および防錆性の観点から、特にアルミニウム製が好ましく、固定部である支点３６を介して、ポール１６の端面に対して、ねじ固定、接着固定等により固定すればよい。
また、釣竿把持部２０は、挟み部３２を常時閉じ方向に付勢する付勢部３８を有し、付勢部３８は、たとえば、バネがよく、バネの付勢力は、数メートルに及ぶ釣竿Ｒの下端を釣竿支持部１８により支持した状態で、釣竿Ｒの下端から約１．５メートル前後の位置で把持することから、把持部に発生する曲げモーメントに耐えるような強さに設定する必要がある。
図３に示すように、釣竿把持部２０は、バネの付勢作用により、挟み部３２は常時閉じられていることから、釣竿Ｒを把持するときと、釣竿Ｒをポール１６から取り外すときには、一対の摘み部３４を片手の指でつまむことにより、挟み部３２を開口することが可能である。３８
また、図４に示すように、一対の挟み部３２の各々の先端部には、外方に湾曲する案内部３３が設けられ、それぞれの案内部３３により、一対の挟み部３２を閉じることにより形成される一対の挟み部３２の先端部同士の接触部３５から互いに離間するスペース３７が形成され、釣竿をスペース３７に宛がって接触部３５に向かって押すことにより、付勢部３８による付勢力に打ち勝って一対の挟み部３２が開くようになっている。このような動作により、一対の摘み部３４を片手の指でつまむことなく、釣竿把持部２０により釣竿Ｒを把持可能である。
【００１５】
さらに、図５に示すように、ポール１６と協働してたすきがけを形成するように、各端５４Ａ，Ｂがポール１６に取り付けられたバンド部２２を有する。バンド部２２には、通常のバンドと同様に、長さ調整部５６が設けられ、釣竿保持具１０を背負いやすいように、釣師Ｍのサイズに応じて、バンド部２２の長さを調整すればよい。
釣竿保持具１０を背負う際、釣竿支持部１８の底付円筒および釣竿把持部２０の一対の挟み部３２が、ポール１６の上側、上向きに位置するように、バンド部２２のポール１６への取り付け位置と、釣竿支持部１８の底付円筒および釣竿把持部２０の一対の挟み部３２とは、ポール１６の周方向に略直交するのが好ましく、これにより、釣竿保持具１０を背負った状態で、釣竿Ｒの釣竿支持部１８の底付円筒への差込み、および釣竿把持部２０により釣竿Ｒの把持がより容易に行うことが可能である（図６および図７参照）。
さらに、ポール１６の一端部１２近傍には、ポール１６を釣師Ｍの体に係止するフック部５７がさらに設けられる。より具体的には、バンド部の下部側の端５４Ｂには、無端ループ状のフック部５７が設けられ、たとえば、フック部５７を釣師Ｍのズボンのバンドに通すことにより、ポール１６を釣師Ｍの体に係止させ、釣竿保持具１２を用いて釣竿Ｒを保持する際、長尺の釣竿Ｒが強風であおられたりしても、安定的に釣竿Ｒを保持することが可能である。フック部５７のポール１６に対する取り付け位置、あるいはフック部５７の長さは、このような観点から定めればよい。
【００１６】
中空構造２８の外表面３０に板状小片部４４が、たとえば、ねじにより固定され、板状小片部４４の裏面と中空構造２８の外表面３０との間に、釣り糸が巻き付け可能になっている。板状小片部４４は、たとえば、ゴム製の円板状がよい。板状小片部４４を中空構造２８の外表面３０に設けることにより、板状小片部４４は釣師Ｍの腰部近傍に位置するので、釣り糸Ｎを張った状態で釣り糸Ｎを容易に巻き付けることが可能である。
【００１７】
以上の構成を有する釣竿保持具１０の作用を、釣竿Ｒを用いて魚を釣る場合の利用の仕方を含め、以下に詳細に説明する。
図６ないし図８に示すように、各端がポール１６に取り付けられたバンド部２２を利用して、釣師Ｍが、釣竿保持具をたすきがけ状に背面Ｂに斜めに背負うとともに、フック部５７によりポール１６の下端を体に係止することにより、腰部の脇付近には釣竿支持部１８が、反対側の肩部上方には釣竿把持部２０が位置することで、釣師Ｍの前面Ｆ側において、釣竿支持部１８によりポール１６に沿う向きの釣竿Ｒの一端部１２を支持する（図６参照）とともに、釣竿Ｒを背面Ｂ側にまわして、釣竿把持部２０によりポール１６に沿う向きの釣竿Ｒの中間部を把持することで（図７参照）、数メートル以上の長尺な釣竿Ｒを、両手がフリーな状態で、背面Ｂに保持した状態で、釣りの最中に、釣った魚を釣り糸から外して籠やタモに収納したり、ルアーまたは餌を交換する際、長尺な釣竿Ｒを保持した状態のまま、無理な姿勢を強いられることなく、特に、高齢や、腰痛持ちの釣師にとっても、円滑に作業を行うことが可能である（図８参照）。
【００１８】
以上のように、釣師Ｍは、タモを前面Ｆ側で腰レベルに装着することが多いことから、本釣竿保持具により、釣竿Ｒを体の背面Ｂ側で背負うことにより、体の前面Ｆ側スペースを有効に活用することが可能であり、両手で魚をタモに収納したり、新しい餌を取り付けたりの作業を円滑に行うことが可能である。
なお、釣り場に移動するまで、釣竿保持具をたすきがけ状に背面Ｂに斜めに背負うことにより、荷物としてかさばることなく、移動可能であり、釣った後、別の釣り場に移動する場合も同様である。
【００１９】
以上、本考案の実施形態を詳細に説明したが、本考案の範囲から逸脱しない範囲内において、当業者であれば、種々の修正あるいは変更が可能である。
たとえば、釣竿保持具１０は、釣竿Ｒを保持した状態で両手をフリーにする必要性がある限り、川釣りに限定されることなく、湖や海での釣り、あるいは岸での作業、次の釣り場に移動する際にも利用可能である。
【００２０】
たとえば、本実施形態において、釣竿の中間部を挟み込み態様により把持するものとして説明したが、それに限定されることなく、釣竿の下端を支持したうえで、釣竿の中間部を把持することにより、釣竿を保持し、両手をフリーにすることが可能である限り、どのような態様でもよい。
たとえば、本実施形態において、釣竿保持具１０を釣りの最中に利用するものとして説明したが、それに限定されることなく、釣竿保持具１０自体を収縮させて運搬すれば、かさばることなく便利である。
【図面の簡単な説明】
【００２１】
【図１】本考案の実施形態に係る釣竿保持具１０の斜視図である。
【図２】本考案の実施形態に係る釣竿保持具１０の釣竿支持部１８の詳細図である。
【図３】本考案の実施形態に係る釣竿保持具１０の釣竿把持部２０により釣竿Ｒを把持する動作を示す図である。
【図４】本考案の実施形態に係る釣竿保持具１０の釣竿把持部２０により釣竿Ｒを把持する別の動作を示す図である。
【図５】本考案の実施形態に係る釣竿保持具１０のバンド部２２の詳細図である。
【図６】本考案の実施形態に係る釣竿保持具１０の釣竿支持部１８により、釣師Ｍが釣竿Ｒを支持する状態を示す図である。
【図７】本考案の実施形態に係る釣竿保持具１０の釣竿把持部２０により、釣師Ｍが釣竿Ｒを把持する状態を示す図である。
【図８】本考案の実施形態に係る釣竿保持具１０により、釣師Ｍが釣竿Ｒを保持して、両手がフリーである状態を示す図である。
【符号の説明】
【００２２】
Ｍ  釣師
Ｂ  背面
Ｘ  軸線
Ｆ  前面
Ｒ  釣竿
Ｌ  軸長
Ｈ  高さ
１０  釣竿保持具
１２  一端部
１４  他端部
１６  ポール
１８  釣竿支持部
２０  釣竿把持部
２２  バンド部
２４  内径
２６  受け部
２８  中空構造
３０  外表面
３２  挟み部
３４  摘み部
３５  接触部
３６  支点
３７  スペース
３８  付勢部
４０  内管
４２  外管
４４  板状小片部
５０  受け棒
５２  ねじ
５４  端部
５６  長さ調整部
５７  フック部
【図１】
0003209173.tif 000003
【図２】
0003209173.tif 000004
【図３】
0003209173.tif 000005
【図４】
0003209173.tif 000006
【図５】
0003209173.tif 000007
【図６】
0003209173.tif 000008
【図７】
0003209173.tif 000009
【図８】
0003209173.tif 000010
【手続補正書】
【提出日】平成28年12月26日(2016.12.26)
【手続補正１】
【補正対象書類名】実用新案登録請求の範囲
【補正対象項目名】全文
【補正方法】変更
【補正の内容】
【実用新案登録請求の範囲】
【請求項１】
背面に斜めに背負うことにより、腰部の脇付近に一端部が、反対側の肩部上方に他端部が位置することが可能な長さを有するポールを有し、
該ポールの該一端部に、該ポールに沿う向きの釣竿の一端部を支持する釣竿支持部を有し、
該ポールの該他端部に、該ポールに沿う向きの釣竿の中間部を把持する釣竿把持部を有し、
前記ポールと協働してたすきがけを形成するように、各端が前記ポールに取り付けられたバンド部を有する、
ことを特徴とする釣竿保持具。
【請求項２】
前記釣竿支持部は、釣竿の一端部の内径より大きな径を有し、釣竿の一端部の受け部を有する中空構造であり、
該中空構造は、軸線が前記ポールの軸線に沿って延びるように、前記ポールの外表面に付設される、請求項１に記載の釣竿保持具。
【請求項３】
前記中空構造は、底付円筒であり、該底付円筒の高さは、前記ポールに沿う向きの釣竿の一端部を該底付円筒の底で受けるように差し込むことにより、釣竿を支持可能な高さである、請求項２に記載の釣竿保持具。
【請求項４】
前記釣竿把持部は、先端に一対の挟み部と、後端に挟み部を開閉する一対の摘み部を有し、該挟み部と該摘み部との中間点に支点を備え、該挟み部を常時閉じ方向に付勢する付勢部を有し、前記釣竿把持部は、前記ポールに対して、前記中空構造に差し込んだ釣竿の中間部を挟み込み可能なように設けられる、請求項２に記載の釣竿保持具。
【請求項５】
前記一対の挟み部の各々の先端部には、外方に湾曲する案内部が設けられ、それぞれの案内部により、前記一対の挟み部を閉じることにより形成される前記一対の挟み部の先端部同士の接触部から互いに離間するスペースが形成され、釣竿を該スペースに宛がって前記接触部に向かって押すことにより、前記付勢部による付勢力に打ち勝って前記一対の挟み部が開くように構成される、請求項４に記載の釣竿保持具。
【請求項６】
前記ポールは、互いに嵌合する内管と外管との2重管構造であり、長さ調整可能である、請求項１に記載の釣竿保持具。
【請求項７】
前記中空構造の外表面に板状小片部がさらに固定され、前記板状小片部の裏面と前記中空構造の外表面との間に、釣り糸が巻き付け可能である、請求項２または請求項３に記載の釣竿保持具。
【請求項８】
前記ポールの前記一端部近傍には、前記ポールを釣師の体に係止するフック部がさらに設けられる、請求項１ないし請求項６いずれか１項に記載の釣竿保持具。